【手続補正書】
【提出日】平成29年1月23日(2017.1.23)
【手続補正１】
【補正対象書類名】特許請求の範囲
【補正対象項目名】全文
【補正方法】変更
【補正の内容】
【特許請求の範囲】
【請求項１】
ビデオ情報を符号化するように構成された装置であって、
前記装置は、
拡張層と対応する基本層との間の差分から抽出された画素情報の差分ビデオ層と関連付けられる差分ビデオ情報を格納するように構成されたメモリユニットと、
前記メモリユニットと通信するプロセッサであって、
前記プロセッサは、
拡張層重みと基本層重みを決定し、
前記差分ビデオ層と関連付けられる差分参照ビデオユニットを用いて前記差分ビデオ層と関連付けられる現在のビデオユニットの予測ユニットを生成する、
ここにおいて、前記差分参照ビデオユニットは、前記拡張層重みによって重み付けられた前記拡張層における参照ビデオユニットと前記基本層重みによって重み付けられた前記基本層における参照ビデオユニットとの間の差分として決定され、前記拡張層重みは前記基本層重みと異なる、
ように構成される、
プロセッサと、
を備える、装置。
【請求項２】
前記プロセッサは、前記拡張層と前記基本層との間の時間相関関係または空間相関関係に基づいて拡張層重みと基本層重みを決定するように構成される、請求項１に記載の装置。
【請求項３】
前記拡張層における前記参照ビデオユニットは、前記拡張層における時間参照ビデオユニットであり、および前記基本層における前記参照ビデオユニットは、前記基本層における時間参照ビデオユニットである、請求項１に記載の装置。
【請求項４】
前記拡張層における前記参照ビデオユニットは、前記拡張層における空間隣接ビデオユニットであり、および前記基本層における前記参照ビデオユニットは、前記基本層における空間隣接ビデオユニットである、請求項１に記載の装置。
【請求項５】
前記プロセッサは、前記現在のビデオユニットに関する前記予測ユニットに基づいて前記現在のビデオユニットを再構成するようにさらに構成される、請求項１に記載の装置。
【請求項６】
前記プロセッサは、前記差分ビデオ層における参照フレームに基づく画面間予測を用いて、前記現在のビデオユニットの前記予測ユニットを生成するようにさらに構成される、請求項１に記載の装置。
【請求項７】
前記プロセッサは、前記差分ビデオ層における空間隣接画素に基づく画面内予測を用いて前記現在のビデオユニットの前記予測ユニットを生成するようにさらに構成される、請求項１に記載の装置。
【請求項８】
前記拡張層重みは前記基本層重みより大きく、および前記拡張層重みは２のべきである、請求項１に記載の装置。
【請求項９】
前記現在のビデオユニットは、Ｗ１＊前記拡張層ビデオユニット−Ｗ０＊前記基本層ビデオユニット＋ラウンド値と予測され、ここにおいて、Ｗ１は前記拡張層重みであり、およびＷ０は前記基本層重みである、請求項１に記載の装置。
【請求項１０】
前記ラウンド値は、ビットストリームにおいて信号伝達されるか、またはビットストリーム内の情報から少なくとも部分的に抽出される、請求項９に記載の装置。
【請求項１１】
前記ラウンド値は、フレーム、スライス、最大符号化ユニット（ＬＣＵ）、符号化ユニット（ＣＵ）、ブロック、画素、およびサブ画素を備えるグループから選択されたシンタックスレベルにおいて符号化される、請求項１０に記載の装置。
【請求項１２】
前記拡張層重みと前記基本層重みは、フレーム、スライス、最大符号化ユニット（ＬＣＵ）、符号化ユニット（ＣＵ）、予測ユニット（ＰＵ）、ブロック、画素、およびサブ画素を備えるグループから選択されたシンタックスレベルにおいて符号化され、および、前記拡張層重みと前記基本層重みは、ルマ成分のみ、クロマ成分のみ、およびルマおよびクロマ成分の任意の組合せを備えるグループから選択された信号成分に関して符号化される、請求項１に記載の装置。
【請求項１３】
前記現在のビデオユニットは、フレーム、スライス、最大符号化ユニット（ＬＣＵ）、符号化ユニット（ＣＵ）、ブロック、画素、およびサブ画素を備えるグループから選択される、請求項１に記載の装置。
【請求項１４】
前記基本層は再構成された基本層である、請求項１に記載の装置。
【請求項１５】
前記プロセッサは、前記現在のビデオユニットをエンコードするように、およびビットストリームにおいて前記拡張層重みと前記基本層重みを信号伝達するようにさらに構成される、請求項１に記載の装置。
【請求項１６】
前記プロセッサは、前記現在のビデオユニットをデコードするように、およびビットストリームにおいて前記拡張層重みと前記基本層重みを受信するか、あるいはビットストリーム内の情報から前記拡張層重みと前記基本層重みを少なくとも部分的に抽出するようにさらに構成される、請求項１に記載の装置。
【請求項１７】
前記装置は、デスクトップコンピュータ、ノートブックコンピュータ、ラップトップコンピュータ、タブレットコンピュータ、セットトップボックス、テレフォンハンドセット、スマートフォン、無線通信デバイス、スマートパッド、テレビジョン、カメラ、ディスプレイデバイス、デジタル・メディア・プレーヤー、ビデオゲームコンソール、またはビデオストリーミングデバイスのうちの１つまたは複数を備える、請求項１に記載の装置。
【請求項１８】
ビデオ情報を符号化する方法であって、
拡張層と対応する基本層との間の差分から抽出された画素情報の差分ビデオ層と関連付けられる差分ビデオ情報を格納することと、
拡張層重みと基本層重みを決定することと、
前記差分ビデオ層と関連付けられる差分参照ビデオユニットを用いて前記差分ビデオ層と関連付けられる現在のビデオユニットの予測ユニットを生成することと、
ここにおいて、前記差分参照ビデオユニットは、前記拡張層重みによって重み付けられた前記拡張層における参照ビデオユニットと前記基本層重みによって重み付けられた前記基本層における参照ビデオユニットとの間の差分として決定され、前記拡張層重みは前記基本層重みと異なる、
を備える、方法。
【請求項１９】
拡張層重みと基本層重みを前記決定することは、前記拡張層と前記基本層との間の時間相関関係または空間相関関係に基づく、請求項１８に記載の方法。
【請求項２０】
前記拡張層における前記参照ビデオユニットは、前記拡張層における時間参照ビデオユニットであり、および前記基本層における前記参照ビデオユニットは、前記基本層における時間参照ビデオユニットである、請求項１８に記載の方法。
【請求項２１】
前記拡張層における前記参照ビデオユニットは、前記拡張層における空間隣接ビデオユニットであり、および前記基本層における前記参照ビデオユニットは、前記基本層における空間隣接ビデオユニットである、請求項１８に記載の方法。
【請求項２２】
前記現在のビデオユニットに関する前記予測ユニットに基づいて前記現在のビデオユニットを再構成することをさらに備える、請求項１８に記載の方法。
【請求項２３】
前記現在のビデオユニットの前記予測ユニットは、前記差分ビデオ層における参照フレームに基づく画面間予測を用いて生成される、請求項１８に記載の方法。
【請求項２４】
前記現在のビデオユニットの前記予測ユニットは、前記差分ビデオ層における空間隣接画素に基づく画面内予測を用いて生成される、請求項１８に記載の方法。
【請求項２５】
前記拡張層重みは前記基本層重みより大きく、および前記拡張層重みは２のべきである、請求項１８に記載の方法。
【請求項２６】
前記現在のビデオユニットは、Ｗ１＊前記拡張層ビデオユニット−Ｗ０＊前記基本層ビデオユニット＋ラウンド値と予測され、ここにおいて、Ｗ１は前記拡張層重みであり、およびＷ０は前記基本層重みである、請求項１８に記載の方法。
【請求項２７】
前記ラウンド値は、ビットストリームにおいて信号伝達されるか、またはビットストリーム内の情報から少なくとも部分的に抽出される、請求項２６に記載の方法。
【請求項２８】
前記ラウンド値は、フレーム、スライス、最大符号化ユニット（ＬＣＵ）、符号化ユニット（ＣＵ）、ブロック、画素、およびサブ画素を備えるグループから選択されたシンタックスレベルにおいて符号化される、請求項２７に記載の方法。
【請求項２９】
前記拡張層重みと前記基本層重みは、フレーム、スライス、最大符号化ユニット（ＬＣＵ）、符号化ユニット（ＣＵ）、予測ユニット（ＰＵ）、ブロック、画素、およびサブ画素を備えるグループから選択されたシンタックスレベルにおいて符号化され、および、前記拡張層重みと前記基本層重みは、ルマ成分のみ、クロマ成分のみ、およびルマおよびクロマ成分の任意の組合せを備えるグループから選択された信号成分に関して符号化される、請求項１８に記載の方法。
【請求項３０】
前記現在のビデオユニットは、フレーム、スライス、最大符号化ユニット（ＬＣＵ）、符号化ユニット（ＣＵ）、ブロック、画素、およびサブ画素を備えるグループから選択される、請求項１８に記載の方法。
【請求項３１】
前記基本層は再構成された基本層である、請求項１８に記載の方法。
【請求項３２】
前記現在のビデオユニットをエンコードすることと、ビットストリームにおいて前記拡張層重みと前記基本層重みを信号伝達することをさらに備える、請求項１８に記載の方法。
【請求項３３】
前記現在のビデオユニットをデコードすることと、ビットストリームにおいて前記拡張層重みと前記基本層重みを受信するか、あるいはビットストリーム内の情報から前記拡張層重みと前記基本層重みを少なくとも部分的に抽出することをさらに備える、請求項１８に記載の方法。
【請求項３４】
その上に記憶された命令を有する非一時的なコンピュータ可読記憶媒体であって、前記命令が実行される時、装置に、
拡張層と対応する基本層との間の差分から抽出された画素情報の差分ビデオ層と関連付けられる差分ビデオ情報を格納することと、
拡張層重みと基本層重みを決定することと、
前記差分ビデオ層と関連付けられる差分参照ビデオユニットを用いて前記差分ビデオ層と関連付けられる現在のビデオユニットの予測ユニットを生成することと、
ここにおいて、前記差分参照ビデオユニットは、前記拡張層重みによって重み付けられた前記拡張層における参照ビデオユニットと前記基本層重みによって重み付けられた前記基本層における参照ビデオユニットとの間の差分として決定され、前記拡張層重みは前記基本層重みと異なる、
をさせる、非一時的なコンピュータ可読記憶媒体。
【請求項３５】
前記拡張層と前記基本層との間の時間相関関係または空間相関関係に基づいて、前記拡張層重みと前記基本層重みを決定するための命令をさらに備える、請求項３４に記載のコンピュータ可読記憶媒体。
【請求項３６】
前記拡張層における前記参照ビデオユニットは、前記拡張層における時間参照ビデオユニットであり、および前記基本層における前記参照ビデオユニットは、前記基本層における時間参照ビデオユニットである、請求項３４に記載のコンピュータ可読記憶媒体。
【請求項３７】
前記拡張層における前記参照ビデオユニットは、前記拡張層における空間隣接ビデオユニットであり、および前記基本層における前記参照ビデオユニットは、前記基本層における空間隣接ビデオユニットである、請求項３４に記載のコンピュータ可読記憶媒体。
【請求項３８】
前記拡張層重みは前記基本層重みより大きく、および前記拡張層重みは２のべきである、請求項３４に記載のコンピュータ可読記憶媒体。
【請求項３９】
前記現在のビデオユニットは、Ｗ１＊前記拡張層ビデオユニット−Ｗ０＊前記基本層ビデオユニット＋ラウンド値と予測され、ここにおいて、Ｗ１は前記拡張層重みであり、およびＷ０は前記基本層重みである、請求項３４に記載のコンピュータ可読記憶媒体。
【請求項４０】
ビデオ情報を符号化するように構成された装置であって、
前記装置は、
拡張層と対応する基本層との間の差分から抽出された画素情報の差分ビデオ層と関連付けられる差分ビデオ情報を格納するための手段と、
拡張層重みと基本層重みを決定するための手段と、
前記差分ビデオ層と関連付けられる差分参照ビデオユニットを用いて前記差分ビデオ層と関連付けられる現在のビデオユニットの予測ユニットを生成するための手段と、
ここにおいて、前記差分参照ビデオユニットは、前記拡張層重みによって重み付けられた前記拡張層における参照ビデオユニットと前記基本層重みによって重み付けられた前記基本層における参照ビデオユニットとの間の差分として決定され、前記拡張層重みは前記基本層重みと異なる、
を備える、装置。
【請求項４１】
前記拡張層と前記基本層との間の時間相関関係または空間相関関係に基づいて、前記拡張層重みと前記基本層重みを決定するための手段をさらに備える、請求項４０に記載の装置。
【請求項４２】
前記拡張層における前記参照ビデオユニットは、前記拡張層における時間参照ビデオユニットであり、および前記基本層における前記参照ビデオユニットは、前記基本層における時間参照ビデオユニットである、請求項４０に記載の装置。
【請求項４３】
前記拡張層における前記参照ビデオユニットは、前記拡張層における空間隣接ビデオユニットであり、および前記基本層における前記参照ビデオユニットは、前記基本層における空間隣接ビデオユニットである、請求項４０に記載の装置。
【請求項４４】
前記拡張層重みは前記基本層重みより大きく、および前記拡張層重みは２のべきである、請求項４０に記載の装置。
【請求項４５】
前記現在のビデオユニットは、Ｗ１＊前記拡張層ビデオユニット−Ｗ０＊前記基本層ビデオユニット＋ラウンド値と予測され、ここにおいて、Ｗ１は前記拡張層重みであり、およびＷ０は前記基本層重みである、請求項４０に記載の装置。
【請求項４６】
前記装置は無線通信デバイスであり、
無線通信プロトコルにしたがってエンコードされたビデオデータを受信するように構成された受信機と、前記エンコードされたビデオデータは、前記差分ビデオ層と関連付けられる前記差分ビデオ情報を備える、
前記無線通信プロトコルにしたがって動作するように構成された送信機と、
をさらに備える、請求項１に記載の装置。
【請求項４７】
前記無線通信デバイスはセルラー電話であり、前記エンコードされたビデオデータは、前記受信機によって受信され、セルラー通信標準にしたがって復調される、請求項４６に記載の装置。
【請求項４８】
前記方法は無線通信デバイス上で実行可能であり、
前記デバイスは、
ビデオデータを格納するように構成されたメモリと、
前記メモリに格納された前記ビデオデータを処理するための命令を実行するように構成されたプロセッサと、
無線通信プロトコルにしたがってエンコードされたビデオデータを受信するように構成された受信機と、前記エンコードされたビデオデータは、前記差分ビデオ層と関連付けられる前記差分ビデオ情報を備える、
前記無線通信プロトコルにしたがって動作するように構成された送信機と、
を備える、請求項１８に記載の方法。
【請求項４９】
前記無線通信デバイスはセルラー電話であり、前記エンコードされたビデオデータは、前記受信機によって受信され、セルラー通信標準にしたがって復調される、請求項４８に記載の方法。